(57)【要約】【目的】遊びの態様を増やして子供に高い関心を抱かせることができる回転玩具を提供すること。【構成】シャーシ２上にプルバック式ギヤボックス（駆動源）３を配置するとともに、該ギヤボックス３によって回転駆動される車軸４の左右両端に車輪５を取り付け、前記シャーシ２の幅方向中心に対して左右の何れか一方にオフセットした位置にビス（突起）８を下方に向かって突設して回転玩具１を構成する。発明によれば、ビス８をこれが設けられる側の車輪５よりも下方に突出させておけば、該ビス８が設けられた側の車輪５が浮いて他方の車輪５だけが接地するため、回転玩具１はビス８を中心として高速で回転し、直進走行だけであった従来の玩具に対して遊びの態様が増え、例えば回転玩具同士を闘わせる等の遊び方も可能となり、子供に高い関心を抱かせることができる。【選択図】　　　図１
2004049360.tif 000002
【特許請求の範囲】
【請求項１】
シャーシ上に駆動源を配置するとともに、該駆動源によって回転駆動される車軸の左右両端に車輪を取り付け、前記シャーシの幅方向中心に対して左右の何れか一方にオフセットした位置に突起を下方に向かって突設して構成されることを特徴とする回転玩具。
【請求項２】
前記突起を長さ調整自在なビスで構成したことを特徴とする請求項１記載の回転玩具。
【請求項３】
前記シャーシに上部品としてのカバー部材を脱着可能に取り付けることを特徴とする請求項１又は２記載の回転玩具。
【発明の詳細な説明】
【０００１】
【発明の属する技術分野】
本発明は、シャーシから下方に突出する突起を中心として回転する回転玩具に関する。
【０００２】
【従来の技術】
例えば、駆動源としてプルバック式のギヤボックスを備える玩具としては自動車玩具が良く知られている。
【０００３】
この種の自動車玩具は、車輪を接地させた状態でこれを前後に動かすことによって、ギヤボックスに内蔵されたゼンマイが巻かれて回転エネルギーが蓄積される。そして、自動車玩具から手を離せばゼンマイが巻き戻されて回転エネルギーが放出されるため、この回転エネルギーによって車輪が回転して自動車玩具が走行する。
【０００４】
【発明が解決しようとする課題】
ところが、上記自動車玩具は専ら直線走行するだけであるため、遊びの態様が限られ、子供の興味を失い勝ちであった。
【０００５】
本発明は上記事情に鑑みてなされたもので、その目的とする処は、遊びの態様を増やして子供に高い関心を抱かせることができる回転玩具を提供することにある。
【０００６】
【課題を解決するための手段】
上記目的を達成するため、請求項１記載の発明は、シャーシ上に駆動源を配置するとともに、該駆動源によって回転駆動される車軸の左右両端に車輪を取り付け、前記シャーシの幅方向中心に対して左右の何れか一方にオフセットした位置に突起を下方に向かって突設して回転玩具を構成したことを特徴とする。
【０００７】
従って、請求項１記載の発明によれば、突起をこれが設けられる側の車輪よりも下方に突出させておけば、該突起が設けられた側の車輪が浮いて他方の車輪だけが接地するため、回転玩具は突起を中心として高速で回転し、直進走行だけであった従来の玩具に対して遊びの態様が増え、例えば回転玩具同士を闘わせる等の遊び方も可能となり、子供に高い関心を抱かせることができる。
【０００８】
請求項２記載の発明は、請求項１記載の発明において、前記突起を長さ調整自在なビスで構成したことを特徴とする。
【０００９】
従って、請求項２記載の発明によれば、ビスを回転させてその突出量を調整し、回転玩具をビスを中心として確実に回転させることができる。
【００１０】
請求項３記載の発明は、請求項１又は２記載の発明において、前記シャーシに上部品としてのカバー部材を脱着可能に取り付けることを特徴とする。
【００１１】
従って、請求項３記載の発明によれば、カバー部材として例えば自動車用、ロボット用等のように複数のものを用意しておき、その時々の子供の意志に応じてカバー部材を取り替えることができるため、当該回転玩具に対する子供の興味や関心が更に高められる。
【００１２】
【発明の実施の形態】
以下に本発明の実施の形態を添付図面に基づいて説明する。
【００１３】
図１は本発明に係る回転玩具の分解斜視図、図２は同回転玩具の正面図、図３は同回転玩具の側面図である。
【００１４】
図示の回転玩具１において、２は樹脂にて成形されたシャーシであって、このシャーシ２は、水平部２ａと、この水平部２ａの後端部に後方に向かって斜め上方に立設された半円板状の尾部２ｂを有している。
【００１５】
そして、上記シャーシ２の水平部２ａの幅方向中心部にはプルバック式のギヤボックス３が配置され、該ギヤボックス３の両側から左右に水平に延びる車軸４の端部には車輪５が取り付けられている。ここで、シャーシ２の後部左右には、図１に示すように、車輪５の一部が臨む切欠き２ｃが形成されている。
【００１６】
又、シャーシ２の水平部２ａの前端部であって、前記ギヤボックス３の前にはウェイト６が配置されており、本実施の形態では、ウェイト６はビス７によってギヤボックス３の前面に取り付けられている。そして、シャーシ２の水平部２ａの左側の車輪５の前方（水平部２ａの幅方向中心に対して左側にオフセットした位置であって、水平部２ａの前後方向においてウェイト６と車輪５との間）には、突起としてのビス８がシャーシ２の下面から垂直下方に向かって突設されている。具体的には、シャーシ２の水平部２ａの下面には円柱状のボス２ｄが一体に突設されており、このボス２ｄに前記ビス８が下方から螺着されており、該ビス８の頭部は下端に位置している。従って、ビス８を回すことによってその突出長さを調整することができるが、図２及び図３に示すように、該ビス８の頭部は車輪５よりもΔｈだけ下方へ突出している。
【００１７】
而して、本実施の形態に係る回転玩具１は回転する自動車玩具であって、上部品としての車体カバー９をシャーシ２に上方から被せ、これをシャーシ２に脱着可能に取り付けることによって構成される。
【００１８】
次に、以上の構成を有する回転玩具１を用いた遊び方の手順を図４に基づいて説明する。
【００１９】
先ず、図４（ａ）に示すように、回転玩具１のシャーシ２の尾部２ｂを押さえて回転玩具１の全体を傾けた状態でこれを前後に動かせば、接地状態にある車輪５が回転し、ギヤボックス３に内蔵された不図示のゼンマイが巻かれて回転エネルギーが蓄積される。
【００２０】
その後、図４（ｂ）に示すように、シャーシ２の尾部２ｂから手を離すと、ゼンマイが巻き戻されて回転エネルギーが放出されるとともに、ウェイト６の重量によって回転玩具１が図示矢印方向に回動して前方へと傾き、回転玩具１は前進しながら元の水平状態に戻る。そして、シャーシ２に下方に向かって突設されたビス８の頭部が接地すると、前述のように該ビス８の頭部は車輪５よりも図２及び図３に示すΔｈだけ下方へ突出しているため、該ビス８が設けられた側の左側の車輪５が浮いて右側の車輪５だけが接地するため、図４（ｃ）に示すように、回転玩具１はビス８を中心として高速で回転する。
【００２１】
上述のように、本実施の形態に係る回転玩具１は高速で回転するため、直進走行だけであった従来の玩具に対して遊びの態様が増え、例えば回転玩具１同士を闘わせる等の遊び方も可能となり、子供に高い関心を抱かせることができる。
【００２２】
そして、本実施の形態では、ビス８を回転させてその突出量を調整することができるため、回転玩具１をビス８を中心として確実に回転させることができる。
【００２３】
ところで、本実施の形態では、上部品であるカバー部材として車体カバー９をシャーシ２に取り付けて回転玩具１を自動車玩具として構成したが、カバー部材として例えば自動車用、ロボット用等のように複数のものを用意しておき、その時々の子供の意志に応じてカバー部材を取り替えることができるため、当該回転玩具１に対する子供の興味や関心が更に高められる。
【００２４】
尚、以上の実施の形態では、駆動源としてプルバック式のギヤボックスを採用した回転玩具について説明したが、駆動源としては電動モータ等、他の任意のものを用いることができる。
【００２５】
【発明の効果】
以上の説明で明らかなように、本発明によれば、シャーシ上に駆動源を配置するとともに、該駆動源によって回転駆動される車軸の左右両端に車輪を取り付け、前記シャーシの幅方向中心に対して左右の何れか一方にオフセットした位置に突起を下方に向かって突設して回転玩具を構成したため、遊びの態様を増やして当該回転玩具に対して子供に高い関心を抱かせることができるという効果が得られる。
【図面の簡単な説明】
【図１】本発明に係る回転玩具の分解斜視図である。
【図２】本発明に係る回転玩具の正面図である。
【図３】本発明に係る回転玩具の側面図である。
【図４】本発明に係る回転玩具を用いた遊び方の手順を示す図である。
【符号の説明】
１　　　　回転玩具
２　　　　シャーシ
２ａ　　　水平部
２ｂ　　　尾部
３　　　　プルバック式ギヤボックス（駆動源）
４　　　　車軸
５　　　　車輪
６　　　　ウェイト
７　　　　ビス
８　　　　ビス（突起）
９　　　　車体カバー（カバー部材）
【図１】
2004049360.tif 000003
【図２】
2004049360.tif 000004
【図３】
2004049360.tif 000005
【図４】
2004049360.tif 000006